(57)【要約】      （修正有）【課題】取り付けが簡単で、安全でありかつ美観にも優れた手・指をつめることを防止するためのドアの手・指つめ防止用複合構造物およびこの構造物をドアとドア枠に取り付けた手・指つめ防止用のドア構造体を提供する。【解決手段】（１）剛性を有しかつ長方形の４枚のシートであり、各シートはいずれも長辺の長さはほぼ同じであり、短辺の長さは同一でも異なってもよく、（２）４枚のシートはこの順序で一枚の伸縮性織布上に互いの長辺の部分が１〜３ｍｍの間隔を有するように配置され、かつ各シートは織布面に接着され、（３）かくして４枚のシートは互いに隣接する長辺を介して自由に屈曲可能である、一枚の織布と４枚のシートが一体化された複合構造物８である。シートの織布面がドア３本体の側面に接着することができ、かつシートのシート面はドア枠４面に接着することができるようにする。【選択図】図２
0003193293.tif 000002
【実用新案登録請求の範囲】
【請求項１】
（１）剛性を有しかつ長方形の４枚のシートＸ1、Ｘ2、Ｘ3およびＸ4であり、各シートはいずれも長辺の長さはほぼ同じであり、短辺の長さは同一でも異なっていてもよく、
（２）シートＸ1、Ｘ2、Ｘ3およびＸ4はこの順序で一枚の伸縮性織布上に互いの長辺の部分が１〜３ｍｍの間隔を有するように配置され、かつ各シートは織布面に接着され、
（３）かくして４枚のシートは互いに隣接する長辺を介して自由に屈曲可能である、一枚の織布と４枚のシートが一体化された複合構造物であって、この複合構造物は、シートＸ1の織布面がドア本体の側面に接着することができ、かつシートＸ4のシート面はドア枠面に接着することができるようにしたドアの手・指つめ防止用複合構造物。
【請求項２】
請求項１記載の複合構造物を、（ａ）ドア枠にヒンジを介して開閉自由に設けられたドア本体に、シートＸ1の織布面がドア本体の側面に接着され、かつシートＸ4のシート面はドア枠面に設けた凸部に接着され、（ｂ）ドア面がドア枠に対して閉じた状態（ドア面の開き角度０の状態）ではシートＸ2およびシートＸ3は折り畳まれてドア本体に密着し、（ｃ）ドア面が閉じた状態に対して９０度開いた状態では、シートＸ1とシートＸ2、シートＸ2とシートＸ3およびシートＸ3とシートＸ4は、いずれもほぼ９０度の角度で折れ曲がり、かつ（ｄ）ドア面が閉じた状態に対して１８０度開いた状態ではシートＸ1とシートＸ2はシート面を介して折り畳まれ、かつシートＸ2とシートＸ3とシートＸ4はほぼ同一平面となるようにドア側面とドア枠面に密着するようにしたことを特徴とする手・指つめ防止用のドア構造体。
【考案の詳細な説明】
【技術分野】
【０００１】
本考案はドア構造体およびそのための複合構造物に関する。
さらに詳しくは開閉時にドアに手や指をつめることを防止しうるドア構造体およびそのための複合構造物に関する。
【背景技術】
【０００２】
通常ドアは、ドアとドア枠とがヒンジを介して自在に開閉できるものであるが、ドアとドア枠との間には隙間を有し、その隙間に手や指が挟まれ怪我をすることがある。
その怪我を防止するために、隙間を覆う保護体を設けるいくつかの提案が特許文献１〜５になされている。
【先行技術文献】
【特許文献】
【０００３】
例えば特許文献１および２に記載された保護体は、いずれもドアが閉じた状態では突出部が内側に存在し美観がよいものではなく、ドアは閉じた状態に対して９０度開くのが限度であり、１８０度開くのは困難である。特許文献３記載の保護体の構造は、ジャバラ状の防止板を厚紙で形成させたものであるが、手や指を挟まれることが完全に防止できるものではなく、その上美観にも問題がある。特許文献４記載の保護体は構造が複雑で各部材を取り付け固定するために固定具やネジなどが必要であり、そのため専門的技術を要する。またドアを閉じた状態ではカバー部材がジャバラ状となり美観に優れたものではない。
特許文献５記載の複合構造体は取り付けが簡単であり、防止力も優れているが、布帛や接着剤の種類により屈曲性や構造物の接着力が充分とは言えない場合がある。
【特許文献１】実開平２−１３４２８２号公報
【特許文献２】特開平１０−１３１６０７号公報
【特許文献３】特開２００３−２６２０７０号公報
【特許文献４】特開２００３−４９５８１号公報
【特許文献５】特開２００９−９１８２６号公報
【考案の概要】
【考案が解決しようとする課題】
【０００４】
そこで本考案者は取り付けが簡単であり、子供の力では容易に形が変形せず、ドアをドア枠に対して１８０度開閉することができ、しかもドアを閉じた状態では突起物が存在せず美観にも優れた手や指を挟まれず、屈曲性に優れ且つ耐久性にも優れた保護体の開発を進めた結果本考案に到達した。
【課題を解決するための手段】
【０００５】
本考案によれば、
（１）剛性を有すかつ長方形の４枚のシートＸ1、Ｘ2、Ｘ3およびＸ4であり、各シートはいずれも長辺の長さはほぼ同じであり、短辺の長さは同一でも異なってもよく、
（２）シートＸ1、Ｘ2、Ｘ3およびＸ4はこの順序で一枚の伸縮性織布上に互いの長辺の部分が１〜３ｍｍの間隔を有するように配置され、かつ各シートは織布面に接着され、
（３）かくして４枚のシートは互いに隣接する長辺を介して自由に屈曲可能である、一枚の織布と４枚のシートが一体化された複合構造物であって、この複合構造物は、シートＸ1の織布面がドア本体の側面に接着することができ、かつシートＸ4のシート面はドア枠面に接着することができるようにしたドアの手・指つめ防止用複合構造物が提供される。
さらに本考案によれば、前記記載の複合構造物を、（ａ）ドア枠にヒンジを介して開閉自由に設けられたドア本体に、シートＸ1の織布面がドア本体の側面に接着され、かつシートＸ4のシート面はドア枠面に設けた凸部に接着され、（ｂ）ドア面がドア枠に対して閉じた状態（ドア面の開き角度０の状態）ではシートＸ2およびシートＸ3は折り畳まれてドア本体に密着し、（ｃ）ドア面が閉じた状態に対して９０度開いた状態では、シートＸ1とシートＸ2、シートＸ2とシートＸ3およびシートＸ3とシートＸ4は、いずれもほぼ９０度の角度で折れ曲がり、かつ（ｄ）ドア面が閉じた状態に対して１８０度開いた状態ではシートＸ1とシートＸ2はシート面を介して折り畳まれ、かつシートＸ2とシートＸ3とシートＸ4はほぼ同一平面となるようにドア側面とドア枠面に密着するようにしたことを特徴とする手・指つめ防止用のドア構造体が提供される。
【考案の効果】
【０００６】
本考案のドアの手・指つめ防止用複合構造物およびその複合構造物を使用した手・指つめ防止用のドア構造体は下記の利点を有している。
（ａ）構造が簡単で容易に設置でき、その取り付けは素人でも短時間で可能である。
（ｂ）子供の力では容易に変形せず、防止力に優れている。
（ｃ）ドアを閉じた状態では、ドア壁に構造体が密着し、目障りな突起物が存在しな
い。
（ｄ）ドアの開閉角度に支障がなく、０度〜１８０度開くことが可能である。
（ｅ）全体として屈曲性に優れ、容易にドアを開閉でき、その耐久性にも優れている。
（ｆ）各シートと織布の接着力に優れ、その接着力の耐久性にも優れている。
【図面の簡単な説明】
【０００７】
【図１】本考案の複合構造物の横方向の断面を示す模式図である。
【図２】本考案の複合構造物をドアおよびドア枠に取り付けた横方向の断面を示す模式図である。ドアを閉めた状態を示す。
【図３】図２においてドアを９０度開いた状態を示す。
【図４】図２において、ドアを１８０度開いた状態を示す。
【考案を実施するための形態】
【０００８】
本考案の手・指つめ防止用複合構造物を図１により説明する。
図1は前記複合構造物を横方向の断面を示す模式図である。この構造物は、剛性を有しかつ長方形の４枚のシートＸ1、Ｘ2、Ｘ3およびＸ4を有し、この４枚のシートは一枚の伸縮性織布１に接着剤２により貼り合わされている。４枚のシートは、それぞれ独立しており、長方形の形をしている。シートＸ1〜Ｘ4はそれぞれ図１の図面上の幅を短辺とする長方形であり、長方形の長辺は図面上、図１には表示されていない（長辺は図１の平面に対し上下方向である。）
【０００９】
シートＸ1〜Ｘ4は、剛性を有する樹脂シート（板）であればよく、塩化ビニル製、アクリル樹脂製などが利用できるが、塩化ビニル製が安価である。各シートの厚さは０．１〜０．５ｍｍ、好ましくは０．２〜０．４ｍｍ程度が望ましい。各シートは互いに間隔を置いて織布１に貼り合わされる。この間隔は、シートが折り畳まれることが可能なように一定の距離を有していることが肝要である。そのためＸ1とＸ2、Ｘ2とＸ3およびＸ3とＸ4は１〜３ｍｍ、好ましくは１．５〜２．５ｍｍの間隔を有していることが有利である。各シートと織布１との接着は接着剤２による貼り合わせであり、その接着剤としてはゴム系接着剤またはシリコン系接着剤がよく、特にゴム系接着剤が好ましい。
【００１０】
シートＸ1〜Ｘ4のそれぞれの短辺の長さは（図１上のＸ1〜Ｘ4の長さ）特に制限されないが、Ｘ1の長さはドアの側面の幅に制限され２〜１０ｍｍ、好ましくは３〜８ｍｍであり、Ｘ2の長さは５〜２０ｍｍ、好ましくは７〜１８ｍｍであり、Ｘ3の長さはＸ2の長さより３〜５ｍｍ短かく、またＸ4の長さは２〜１０ｍｍ、好ましくは３〜８ｍｍである。
織布１は、伸縮性織布であればよく、好ましくはポリウレタン繊維またはその繊維を主体として含む織布が強度の点で望ましい。
【００１１】
各シートＸ1〜Ｘ4の長方形の長辺の長さは、保護されるドアとドア枠の長さに応じて設定されるが、短いものを数個並んで設置することもできるので、特に制限されない。シートＸ1〜Ｘ4の長さは、通常１００〜６００ｍｍ、好ましくは１５０〜５００ｍｍであるのが有利である。
【００１２】
次に前記複合構造物を、ドアおよびドア枠に取り付けたドア構造体を図２〜図４により説明する。
図２〜図４は、それぞれ複合構造物とドアおよびドア枠に設置した場合の横方向の断面を模式的に示したものである。
図２はドアが閉じた状態を示す。すなわちドア３はドア枠４にヒンジ６を介して取り付けられ、一方のドア壁（または柱）５の間に閉じられ固定されている。複合構造物8は、シートＸ1における織布面側において、ドア３の側面に接着している。その接着は前記した接着剤の使用することができる。
【００１３】
一方シートＸ4はそのシート面においてドア枠４に設けた凸部7の表面に接合している。
このドア枠４の表面に設けられた凸部７は、図２のように４角柱とした形状であるのが好ましく、その断面（図２上の断面）は、２〜７ｍｍ、好ましくは３〜６ｍｍの厚みで、幅がＸ4の長さにほぼ同じであるのが好ましい。
ここで、凸部７の厚みはＸ2とＸ3の長さの差とほぼ同じとなるのが望ましく、従ってその差は通常２〜７ｍｍ、好ましくは３〜６ｍｍである。凸部７のドア４に対する固定位置は、図２のようにドア３を閉じたときに複合構造物8が畳り折り畳まれ、特にシートＸ2とＸ3が重なり合うように設定すべきである。かくしてドア３を閉じたとき複合構造物8は、ドア３に密着した状態となり、突起状態とはならない。そのためドア３が閉じた状態では複合構造物は見た眼にも違和感を感じさせない。凸部７の表面とシートＸ4の接着は接着剤の使用でもよく、また両面テープによる接着でもよい。
【００１４】
次に図３によりドア３の面が、ドア３が閉じた状態から９０度開いた状態を説明する。この状態では、複合構造物の４つのシート面は互いに約９０度の角度で折れ曲っている。この状態では、図３のようにドア３の側面、ドア枠４の表面および複合構造物によって、断面がほぼ四角形の空間を形成している。従って複合構造物のシートＸ2とシートＸ3の面によりドア３とドア枠４の隙間に手や指が挟まれることを防御している。シートＸ2とシートＸ3は剛性を有しており織布により連結されているので強く押しても変形することはない。
【００１５】
本考案の複合構造物はドアに設置した場合、ドアを閉じた状態から１８０度開くことが可能であることが利点の１つでもある。このドアが１８０度開いた状態を図４に示す。図4において複合構造物8は、シートＸ2とシートＸ3とシートＸ4がほぼ長線状に伸びた状態となる。
【符号の説明】
【００１６】
Ｘ1：シート
Ｘ2：シート
Ｘ3：シート
Ｘ4：シート
１  織布
２  接着剤
３  ドア
４  ドア枠
５  壁または柱
６  ヒンジ
７  凸部
８  複合構造物
【図１】
0003193293.tif 000003
【図２】
0003193293.tif 000004
【図３】
0003193293.tif 000005
【図４】
0003193293.tif 000006